(57)【要約】【課題】動脈瘤を閉塞するためのデバイスを提供すること。【解決手段】デバイスは、一般に、展開状態において埋め込まれ得る編組区分を有するインプラントを含むことができ、それにより、展開状態では、編組区分が折り畳まれて、動脈瘤の嚢内から動脈瘤の壁と係合するために動脈瘤の頸部を横切って延在する外側閉塞袋と、外側閉塞袋内に入れ子になった溝を形成する内側閉塞袋と、を形成する。インプラントは、実質的に囲まれたボウル形状の容積を画定するために、編組端のうちの１つ以上で閉鎖され得る。【選択図】図１Ａ
2020058808.tif 000002
【特許請求の範囲】
【請求項１】
動脈瘤を閉塞するためのデバイスであって、
畳み込み状態から展開状態へと移動可能なインプラントであって、近位端と、遠位端と、前記近位端と前記遠位端との間に実質的に連続的な編組構造を形成する編組区分と、を備える、インプラント
を備え、
前記展開状態では、前記インプラントは
前記インプラントの前記近位端から延在し、動脈瘤頸部を閉塞することが可能な外側閉塞袋と、
前記インプラントの前記遠位端を形成して延在し、前記外側閉塞袋内に溝を形成する内側閉塞袋と、
前記外側閉塞袋と前記内側閉塞袋との間に位置付けられた前記編組区分内の折り畳み部と、
を備える、デバイス。
【請求項２】
前記編組区分の第１の部分は、自己拡張して前記外側閉塞袋を形成することができ、前記編組区分の第２の部分は、自己反転して前記内側閉塞袋を形成することができる、請求項１に記載のデバイス。
【請求項３】
前記展開状態では、前記外側閉塞袋は、動脈瘤壁まで延在して、前記動脈瘤壁に対して力を提供することができる、請求項１に記載のデバイス。
【請求項４】
前記展開状態では、動脈瘤壁に対する前記外側閉塞袋の対置は、前記動脈瘤内の前記インプラントの位置を維持するのに十分である、請求項１に記載のデバイス。
【請求項５】
塞栓充填剤を更に備え、
前記塞栓充填剤は、前記動脈瘤の嚢内に埋め込み可能であり、
前記展開状態では、前記インプラントは、前記塞栓充填剤が前記嚢を出ることを阻害し、
前記塞栓充填剤は、前記インプラントを動脈瘤壁に並置する力を提供する、
請求項１に記載のデバイス。
【請求項６】
前記畳み込み状態では、前記インプラントは、マイクロカテーテルを通して前記動脈瘤に送達されるようにサイズ決めされている、請求項１に記載のデバイス。
【請求項７】
前記インプラントの前記近位端又は前記インプラントの前記遠位端のうちの１つ以上は閉鎖されている、請求項１に記載のデバイス。
【請求項８】
前記遠位端又は前記近位端のうちの１つ以上は、バンド、端キャップ又はヒートセットのうちの１つによって閉鎖されている、請求項７に記載のデバイス。
【請求項９】
前記編組区分は、形状記憶材料を含み、前記編組区分は、第１の所定の形状及び第２の変形形状を含み、
前記編組区分は、前記インプラントが前記畳み込み状態にあるときに前記第２の変形形状にあり、
前記編組区分は、前記インプラントが前記展開状態にあるときに第３の展開形状へと移動し、前記第３の展開形状は、前記所定の形状及び動脈瘤壁の曲率に少なくとも部分的に基づく、
請求項１に記載のデバイス。
【請求項１０】
前記展開状態では、前記外側閉塞袋は、前記動脈瘤頸部を封止して、前記動脈瘤内への流れの偏向、迂回及び減速のうちの少なくとも１つを行うことができる、請求項１に記載のデバイス。
【請求項１１】
前記展開状態では、前記インプラントは、実質的に囲まれた容積を画定する、請求項１に記載のデバイス。
【請求項１２】
前記展開状態では、前記インプラントの前記遠位端及び前記近位端はそれぞれ、前記動脈瘤頸部によって画定された平面に対してほぼ垂直な軸に沿って位置付けられており、前記動脈瘤頸部の中央に近接する、請求項１に記載のデバイス。
【請求項１３】
前記インプラントは、分岐した血管枝状部に隣接する動脈瘤に埋め込み可能であり、前記インプラントは、前記分岐した血管枝状部に供給する幹枝状部を通して前記動脈瘤に送達可能である、請求項１に記載のデバイス。
【請求項１４】
編組メッシュを含む動脈瘤を治療するためのインプラントであって、
前記編組メッシュは、埋め込み構成へと移動可能であり、前記編組メッシュは、前記埋め込み構成において実質的に囲まれたボウル形状の容積を画定する実質的に連続した表面を備える、インプラント。
【請求項１５】
前記編組メッシュは、第１の端部及び第２の端部を有する実質的に管状の構成から前記埋め込み構成へと移動可能であり、
前記埋め込み構成では、前記第１の端部及び前記第２の端部はそれぞれ、前記ボウル形状の容積の中央に近接して位置付けられており、前記編組メッシュ内の折り畳み部は、前記ボウル形状の容積の環状隆起部を画定する、
請求項１４に記載のインプラント。
【発明の詳細な説明】
【技術分野】
【０００１】
本発明は、一般に、医療器具に関し、より具体的には、動脈瘤治療用インプラントに関する。
【背景技術】
【０００２】
頭蓋動脈瘤は、重要な脳組織に近接していることに起因して、複雑であり、治療するのが困難であり得る。これまでの解決策としては、血管内治療が挙げられ、これにより、動脈の血圧及び血流から動脈瘤嚢の内部容積が除去される、又は排除される。しかしながら、このような解決策の結果は、治療後であっても、動脈瘤の内壁が血流及び関連する血圧にさらされることとなり得、結果として動脈瘤が破裂する可能性がある。
【０００３】
血管内又は他の外科的アプローチに対する現行の代替物は、動脈瘤の嚢を塞栓材料で充填するか、又は動脈瘤の入口若しくは頸部を治療するかのいずれかである閉塞デバイスを含むことができる。両方のアプローチは、動脈瘤への血流の抑制を試みる。動脈瘤嚢を充填するとき、塞栓材料は、血液を凝固させ、動脈瘤内に血栓塊を形成する。動脈瘤頸部を治療するとき、動脈瘤の入口への血流が阻害され、動脈瘤内で静脈の鬱血を誘発し、動脈瘤内の血栓塊の自然な形成を促進する。
【０００４】
現在の閉塞デバイスは、典型的には、複数の塞栓コイルを利用して、嚢を充填するか、又は入口を治療するかのいずれかである。いずれの治療においても、動脈瘤頸部を閉塞するか、動脈瘤嚢を充填するかのいずれかに十分な塞栓コイル充填密度を得ることは困難であり、時間がかかる。更に、動脈瘤形態（例えば、幅広の頸部、分岐部など）は、コイル塊を支持し、所望の充填密度を得るためにステント又はバルーンなどの補助デバイスを必要とし得る。
【０００５】
塞栓コイルを有する動脈瘤の入口を治療することによって形成される自然に形成された血栓塊は、動脈壁からの可能な膨張を低減させ、頸部平面に沿った元の親血管形状への再統合を可能にすることによって、塞栓コイルを充填した動脈瘤塊と比較して治癒を改善することができる。しかしながら、動脈瘤の頸部に送達される塞栓コイルは、隣接する血管内の血流を妨げる悪影響を潜在的に有し得、同時に、入口が十分に充填されていない場合、血流は動脈瘤内に残り得る。したがって、塞栓コイルを適切に埋め込むことは困難であり、一度埋め込まれると、コイルは容易に後退又は再位置決めすることができない。
【０００６】
更に、多数のコイルで治療された動脈瘤は、多くの場合、不良なコイル状態、動脈瘤の頸部を横切る被覆の欠如、血流若しくは更には動脈瘤のサイズにより、再解析又は圧密化するので、塞栓コイルが必ずしも効果的に治療するわけではない。
【０００７】
例示的な代替的閉塞デバイスは、米国特許第８，９９８，９４７号に記載されている。しかしながら、このアプローチは、塞栓コイルの使用に依存するか、又はコイルアプローチを模倣し、したがって、安全な充填密度を達成し、一度埋め込まれると再位置決めすることができないような塞栓コイルアプローチの多くの制限に悩まされる。
【発明の概要】
【発明が解決しようとする課題】
【０００８】
したがって、親血管と連通する穿通枝血管への流れを遮断することなく、動脈瘤の頸部又は親血管内の他の動静脈の奇形部を、容易かつ正確かつ安全に閉塞するデバイスを得ることが望ましい。
【課題を解決するための手段】
【０００９】
上記の必要性に対処することができる動脈瘤を閉塞するための様々な例示的なデバイスを本明細書に開示する。デバイスは、一般に、展開状態において埋め込まれ得る編組区分を有するインプラントを含むことができ、それにより、展開状態では、編組区分が折り畳まれて、動脈瘤の嚢内から動脈瘤の壁と係合するために動脈瘤の頸部を横切って延在する外側閉塞袋と、外側閉塞袋内に入れ子になった溝を形成する内側閉塞袋と、を形成する。インプラントは、実質的に囲まれたボウル形状の容積を画定するために、編組端のうちの１つ以上で閉鎖され得る。
【００１０】
動脈瘤を閉塞するための例示的なデバイスは、畳み込み状態から展開状態へと移動可能なインプラントを含むことができる。インプラントは、近位端と、遠位端と、近位端と遠位端の間に実質的に連続的な編組構造を形成する編組区分と、を有することができる。展開状態では、インプラントは、外側閉塞袋と、内側閉塞袋と、外側閉塞袋と内側閉塞袋の間の折り畳み部と、を有することができる。外側閉塞袋は、インプラントの近位端から延在することができ、動脈瘤頸部を閉塞することができる。内側閉塞袋は、インプラントの遠位端から延在し、外側閉塞袋内に溝を形成することができる。
【００１１】
編組区分は、自己拡張して外側閉塞袋を形成することができる第１の部分と、自己反転して内側閉塞袋を形成することができる第２の部分と、を有することができる。
【００１２】
展開状態では、外側閉塞袋は、動脈瘤壁まで延在し、動脈瘤壁に対して力を提供することができる。展開状態では、動脈瘤壁に対する外側閉塞袋の対置は、動脈瘤内のインプラントの位置を維持するのに十分であり得る。
【００１３】
デバイスは、動脈瘤の嚢内に埋め込み可能な塞栓充填剤を更に含むことができる。展開状態では、インプラントは、塞栓充填剤が嚢を出ることを阻害することができ、塞栓充填剤は、インプラントを動脈瘤壁に並置する力を提供することができる。
【００１４】
畳み込み状態では、インプラントは、マイクロカテーテルを通して動脈瘤に送達されるようにサイズ決めされ得る。
【００１５】
近位端又は遠位端のいずれか、又はその両方は閉鎖されていてもよい。デバイスは、一端又は両端に位置付けられた端閉鎖機構を含むことができる。端閉鎖機構は、バンド又は端キャップであってもよい。
【００１６】
編組区分は、第１の所定の形状及び第２の変形形状を有する、形状記憶材料で作製することができる。編組区分は、インプラントが畳み込み状態にあるときに第２の変形形状にあることができ、インプラントが展開状態にあるときに第３の展開形状へと移動することができる。第３の展開形状は、所定の形状及び動脈瘤壁の形状に少なくとも部分的に基づくことができる。
【００１７】
展開状態では、外側閉塞袋は、動脈瘤の頸部を封止して、動脈瘤内への血流を偏向、迂回及び／又は減速を行うことができる。展開状態では、インプラントは、実質的に囲まれた容積を画定することができる。展開状態では、インプラントの遠位端及び近位端はそれぞれ、動脈瘤頸部に対してほぼ垂直な軸に沿って位置付けられ得、動脈瘤頸部の中央に近接することができる。
【００１８】
インプラントは、分岐した血管枝状部に隣接して位置付けられた動脈瘤に埋め込み可能であり得、インプラントは、分岐した血管枝状部に供給する幹枝状部を通して動脈瘤に送達され得る。
【００１９】
別の例では、動脈瘤を治療するためのインプラントは、編組メッシュが埋め込み構成において、実質的に囲まれた吹込成形容積を画定する実質的に連続した表面を有するように、埋め込み構成へと移動可能な編組メッシュを有することができる。編組メッシュは、第１の推進力及び第２の端部を有する実質的に管状の構成から埋め込み構成へと移動可能であり得、埋め込み構成にあるとき、第１の端部及び第２の端部はそれぞれ、ボウル形状の容積の中央に近接して位置付けられ得、編組メッシュ内の折り畳み部は、ボウル形状の容積の環状隆起部を画定することができる。
【００２０】
動脈瘤を閉塞する例示的な方法は、マイクロカテーテル内に畳み込み状態で拡張可能な編組を位置付けることと、マイクロカテーテルを通して編組を動脈瘤に向かって遠位方向に摺動させることと、編組の遠位端を含む編組の第１の部分をマイクロカテーテルから動脈瘤嚢内に排出することと、編組の第１の部分を拡張することと、編組の近位端を含む編組の第２の部分をマイクロカテーテルから動脈瘤嚢内に排出することと、編組の第２の部分を拡張させて動脈瘤の頸部を閉塞し、外側閉塞袋を形成することと、編組の第１の部分を反転させて、外側閉塞袋内に入れ子になった内側閉塞袋を形成することと、を含むことができる。編組の第２の部分は、編組の近位端が動脈瘤の頸部の中央付近に位置付けられ、編組の第２の部分が近位端から半径方向に延在して外側閉塞袋を形成するように、外側閉塞袋を形成するために拡張され得る。編組は自己拡張性であってもよい。
【００２１】
この方法は、塞栓インプラントを送達するための第２のカテーテルの遠位端を、遠位端が動脈瘤嚢内に位置付けられるように位置付けることを含んでもよい。編組の第２の部分の拡張工程は、編組の第２の部分と動脈瘤の壁の第１の部分との間に第２のカテーテルを閉じ込めることを含んでもよい。
【００２２】
この方法は、塞栓インプラントを第２のカテーテルを通して動脈瘤に送達することと、塞栓インプラントを動脈瘤嚢内に埋め込むことと、塞栓インプラントからの力を提供して、編組の少なくとも一部分を動脈瘤の壁の第２の部分に並置することと、を含んでもよい。
【００２３】
この方法は、動脈瘤内の編組の埋め込み位置を維持するのに十分な力を、外側閉塞袋と動脈瘤壁との間に提供することを含んでもよい。
【図面の簡単な説明】
【００２４】
本発明の上記及び更なる態様は、添付の図面と併せて以下の説明を参照して更に考察され、様々な図面において、同様の数字は、同様の構造要素及び特徴を示す。図面は、必ずしも縮尺どおりではなく、代わりに、本発明の原理を例示することに主眼が置かれている。図は、限定としてではなく単なる例示として、本発明のデバイスの１つ以上の実装形態を描写している。
【図１Ａ】本発明の態様による、展開状態にある例示的なインプラント断面の図である。
【図１Ｂ】本発明の態様による、展開状態にある例示的なインプラント断面の図である。
【図１Ｃ】本発明の態様による、遠位端から見た際の展開状態にある例示的なインプラントの図である。
【図２】本発明の態様による、マイクロカテーテル内で畳み込み状態にある例示的なインプラントの図である。
【図３Ａ】本発明の態様による、例示的なインプラントの埋め込みシーケンスの図である。
【図３Ｂ】本発明の態様による、例示的なインプラントの埋め込みシーケンスの図である。
【図３Ｃ】本発明の態様による、例示的なインプラントの埋め込みシーケンスの図である。
【図３Ｄ】本発明の態様による、例示的なインプラントの埋め込みシーケンスの図である。
【図３Ｅ】本発明の態様による、例示的なインプラントの埋め込みシーケンスの図である。
【図３Ｆ】本発明の態様による、例示的なインプラントの埋め込みシーケンスの図である。
【図４Ａ】本発明の態様による、例示的なインプラントの別の埋め込みシーケンスの図である。
【図４Ｂ】本発明の態様による、例示的なインプラントの別の埋め込みシーケンスの図である。
【図４Ｃ】本発明の態様による、例示的なインプラントの別の埋め込みシーケンスの図である。
【図４Ｄ】本発明の態様による、例示的なインプラントの別の埋め込みシーケンスの図である。
【図４Ｅ】本発明の態様による、例示的なインプラントの別の埋め込みシーケンスの図である。
【図４Ｆ】本発明の態様による、例示的なインプラントの別の埋め込みシーケンスの図である。
【図４Ｇ】本発明の態様による、例示的なインプラントの別の埋め込みシーケンスの図である。
【図５】本発明の態様による、展開状態において埋め込まれた遠位閉鎖部材のない例示的なインプラントの図である。
【図６Ａ】本発明の態様による、例示的なインプラントと共に使用するための例示的な送達システムを示す概略的透視図である。
【図６Ｂ】本発明の態様による送達システム及びインプラントの部分的な断面を伴う図６Ａの概略的透視図である。
【図７Ａ】本発明の態様による、送達システム及びインプラントが部分的に断面になっている、展開された図６Ａ〜図６Ｂの概略的透視図である。
【図７Ｂ】本発明の態様による、例示的な送達システムがインプラントから取り外された状態で展開された図６Ａ〜図６Ｂの概略的透視図である。
【図８】本発明の態様による、畳み込み状態にあるインプラントを有する別の例示的なデバイスの図である。
【図９Ａ】本発明の態様による、図８の例示的なデバイスの例示的な埋め込みシーケンスの図である。
【図９Ｂ】本発明の態様による、図８の例示的なデバイスの例示的な埋め込みシーケンスの図である。
【図９Ｃ】本発明の態様による、図８の例示的なデバイスの例示的な埋め込みシーケンスの図である。
【図１０】本発明の態様による、閉塞インプラントの埋め込み中に実行され得る方法工程例を概説するフロー図である。
【発明を実施するための形態】
【００２５】
一般に、本明細書に記載される例示的なデバイスは、マイクロカテーテルを通して動脈瘤治療部位に送達されるように成形された畳み込み状態から、インプラントが動脈瘤嚢内から動脈瘤を閉塞するように成形された展開状態へと拡張可能な可撓性本体を有するインプラントを含むことができる。展開状態では、インプラントは、一般に、外側閉塞袋内に入れ子になった内側閉塞袋を有するボウル形状を有することができ、それにより、外側閉塞袋及び内側閉塞袋は、インプラントの可撓性本体内の折り畳み部によって分離される。
【００２６】
図１Ａ及び図１Ｂは、展開状態にある例示的なインプラント断面の側面図を示す。図示されるように、インプラント１００は、編組メッシュ可撓性本体を有することができる。メッシュは、折り畳み部１０３によって分離される内側閉塞袋１０４及び外側閉塞袋１０２を画定するように折り畳むことができる。インプラント１００は、遠位端１１４と近位端１１２とを有することができ、遠位端１１２、近位端１１４のそれぞれは、閉鎖することができる。近位端閉鎖機構１２２は、近位端１１２を閉鎖することができ、遠位閉鎖機構１２４は、遠位端１１４を閉鎖することができる。閉鎖機構１２２、１２４は、当該技術分野において既知のような捲縮バンド又は端キャップであってもよい。閉鎖機構１２２、１２４は、放射線不透過性材料を含み得る。
【００２７】
図１Ｂに示すように、近位端閉鎖機構１２２は、一部の動脈瘤治療において有利であり得るようなボウル形状の外側閉塞袋１０２内に突出して、近位端閉鎖機構１２２を用いて動脈瘤に隣接する血管の遮断を回避することができる。
【００２８】
図１Ｃは、図１Ａ及び図１Ｂに示されるインプラントなど、展開状態にある例示的なインプラント１００の遠位側から見た図である。
【００２９】
図２は、マイクロカテーテル６００内で畳み込み状態にある例示的なインプラント１００の図である。畳み込み状態では、インプラント１００は、近位端１１２と、遠位端１１４と、近位端１１２と遠位端１１４との間に延在する編組区分又は他の可撓性かつ拡張可能な区分１１０と、を有する実質的に管状の形状を有することができる。編組区分１１０は、中心軸の周りに螺旋状に巻き付くワイヤのチューブを形成するために編組された可撓性ワイヤを含むことができ、ワイヤの約半分が時計回りに巻き付けられ、他半分が反時計回りに巻き付けられており、これにより、反対方向に延在するワイヤは、互い違いに斜めに上下に巻き付いている。インプラント１００が畳み込み状態にあるとき、区分１１０は、治療部位に送達されるように、曲がりくねった解剖学的形状をナビゲートするマイクロカテーテル６００を通して送達されるのに十分な可撓性を有することができる。
【００３０】
インプラント１００は、近位端閉鎖機構１２２、遠位端閉鎖機構１２４、又は近位端閉鎖機構１２２と遠位端閉鎖機構１２４の両方を含むことができる。端閉鎖機構１２２、１２４は、放射線不透過性材料を含むことができ、また、マイクロカテーテル６００を通してインプラント１００を治療部位に送達するための手段の一部としても機能することができる。
【００３１】
図３Ａ〜図３Ｆは、例示的なインプラント１００の埋め込みシーケンス中に生じ得る段階又は工程の図である。図３Ａから開始すると、インプラント１００は、マイクロカテーテル６００を通して畳み込み状態へと遠位方向にインプラント１００を摺動させることによって治療部位に送達され得る。図３Ａは、動脈瘤嚢１２内に展開するために動脈瘤１０の頸部１６付近のマイクロカテーテル６００内に位置付けられた遠位端閉鎖機構１２４を有するインプラント１００の遠位端１１４を示す。図３Ａ〜図３Ｆに示されるように、分岐した血管枝状部２０ａ、２０ｂに隣接して位置付けられた動脈瘤１０を含むことができ、インプラント１００は、分岐した血管枝状部２０ａ、２０ｂに供給する幹枝状部２１を通して治療部位に送達され得る。
【００３２】
図３Ｂは、マイクロカテーテル６００から押し出された遠位閉鎖機構１２４を含む遠位端１１４を示す。編組区分１１０の排出部分は、マイクロカテーテル６００を出るときに拡張することができる。編組区分１１０は、ニチノール、ニチノール合金、ポリマー形状記憶材料、又は本明細書に記載されるような再成形のための特性を有する他の形状記憶材料などの形状記憶材料を含むことができる。編組区分１１０は、マイクロカテーテルを出た後に、畳み込み状態の変形した形状にすること、及び所定の形状に基づいて再成形することができる。
【００３３】
図３Ｃは、インプラント１００の更なる遠位移動を示す。編組区分１１０のうちのより多くがマイクロカテーテル６００を出ると、編組区分１１０は拡張し続けることができる。編組区分１１０はまた、反転し始めて、遠位端１１４に溝を形成することができる。
【００３４】
図３Ｄは、マイクロカテーテル６００を出る編組区分１１０のうちのより多くを示す。編組区分１１０のうちのより多くがマイクロカテーテル６００を出ると、編組区分１１０は拡張及び反転し続けることができる。
【００３５】
図３Ｅは、マイクロカテーテル６００からほぼ完全に放出された編組区分１１０を示す。図示されるように、インプラント１００は、動脈瘤１０の内壁１４まで延在し得る。
【００３６】
図３Ｆは、動脈瘤１０内で展開状態にあるインプラントを示す。展開状態では、編組区分１１０は、折り畳み部１０３によって分離された外側閉塞袋１０２及び内側閉塞袋１０４を形成するように折り畳むことができる。外側閉塞袋１０２は、インプラント１００の近位端１１２から半径方向に延在して、動脈瘤１０の頸部１６の少なくとも一部分を閉塞することができる。展開状態では、外側閉塞袋１０２は、動脈瘤１０から血流を偏向すること、動脈瘤１０から血流を迂回させること、動脈瘤１０からへの血流を減速させること、又はこれらの任意の組み合わせを行うことができる。
【００３７】
展開状態では、外側閉塞袋１０２は、動脈瘤壁１４まで延在することができ、外側閉塞袋１０２は、動脈瘤壁に対して力を提供して、インプラント１００が取り除かれないように、かつ動脈瘤内への血流の阻害を無効にしないように、インプラント１００の埋め込み位置を維持することができる。動脈瘤壁１４に対する外側閉塞袋１０２の力は、動脈瘤１０内のインプラント１００の位置を維持するのに十分であり得る。例えば、編組区分１１０は、第１の所定の形状及び第２の変形形状を有する形状記憶材料で作製され得る。編組区分１１０は、インプラント１００が畳み込み状態にあるとき、変形形状にあることができる。インプラント１００が動脈瘤１０内で展開状態にあるとき、編組区分１１０は、第１の所定の形状及び動脈瘤１０の解剖学的形状に少なくとも部分的に基づく、第３の展開形状へと移動することができる。この例では、第１の所定の形状は、動脈瘤嚢１２内の壁１４よりも大きくサイズ決めされ得る。編組区分１１０は、壁１４まで延在するように移動することができ、編組区分１１０は、形状記憶材料の特性が編組１１０を所定の形状の開放を試みさせる際に、壁１４に対して力を提供することができる。
【００３８】
インプラント１００は、インプラントの近位端１１２付近に位置付けられた、当技術分野において知られているような端キャップ、バンド又は他の機構などの近位端閉鎖機構１２２を含むことができ、編組区分１１０を閉じる。端閉鎖機構１２２は、動脈瘤頸部１６の開口部に対して中央に配置され得る。したがって、インプラント１００は、動脈瘤１０の頸部１６を横切る実質的に連続的な閉塞面を画定することができる。
【００３９】
展開状態では、内側閉塞袋１０４は、内側閉塞袋１０４が外側閉塞袋１０２内に入れ子になるように、外側閉塞袋１０２内に溝を形成することができる。インプラント１００の遠位端１１４は、内側閉塞袋１０４の溝内で中央に位置付けられ得、動脈瘤頸部１６の開口部に対して中央に位置付けられ得る。近位端閉鎖機構１２２と遠位端閉鎖機構１２４の両方を含むインプラント１００について、インプラント１００が展開状態にあり、動脈瘤１０内に埋め込まれたときに、近位端閉鎖機構１２２及び遠位端閉鎖機構１２４は、動脈瘤頸部１６内で中央に位置付けられた軸に沿って整列され得、その軸は、動脈瘤頸部１６の平面に対して垂直である。
【００４０】
内側閉塞袋１０４及び外側閉塞袋１０２は、実質的にボウル形状の構造又は実質的に囲まれたボウル形状の容積を共に形成することができる。内側閉塞袋１０４及び外側閉塞袋１０２は、折り畳み部１０３によって分離され得る。折り畳み部１０３は、ボウル形状の構造又は容積の環状隆起部を画定することができる。折り畳み部１０３は、動脈瘤壁１４の環状表面に並置するように位置付けられ得る。編組メッシュ１１０によって画定されるボウル形状の構造は、動脈瘤頸部１６を横切って外向きに、かつ動脈瘤壁１４に上向きに並置された、近位端１１２から半径方向に延在する実質的に連続した表面を有することができ、次いで、下向きかつ半径方向に内向きに折り畳まれて、編組メッシュ１１０の遠位端１１４で収束する溝を形成する。編組区分１１０の第１の部分は、自己拡張して外側閉塞袋１０２を形成することができ得、編組区分１１０の第２の部分は、自己反転して内側閉塞袋１０４を形成することができ得る。
【００４１】
図４Ａ〜図４Ｇは、例示的なインプラントの別の埋め込みシーケンス例の間に生じ得る段階又は工程の図である。図４Ａは、動脈瘤嚢１２内に位置付けられた遠位端を有する塞栓インプラント送達カテーテル２００を示す。図４Ｂは、動脈瘤頸部１６付近でマイクロカテーテル６００内に位置付けられたインプラント１００を有する、動脈瘤１０の頸部１６に位置付けられたマイクロカテーテル６００を示す。塞栓インプラント送達カテーテル２００とインプラント１００を送達するマイクロカテーテル６００は両方とも、分岐部で動脈瘤を治療するときに、幹血管２１を通して治療部位に送達され得る。
【００４２】
図４Ｃは、図３Ｂに示されるように、編組区分がマイクロカテーテル６００を出るときの編組区分１１０の拡張を示す。図４Ｃを参照すると、拡張している区分は、塞栓インプラント送達カテーテル２００に対して押し始めることができる。
【００４３】
図４Ｄは、動脈瘤嚢１２内で展開状態にあるインプラント１００を示す。展開されたインプラントは、塞栓インプラント送達カテーテル２００に対して力を提供することができ、塞栓インプラント送達カテーテル２００を動脈瘤壁１４に対して押す。この構成では、塞栓インプラント送達カテーテル２００は、インプラントによって提供される力が塞栓インプラント送達カテーテル２００を動脈瘤壁１４に並置し、塞栓カテーテルを定位置で保持し、動脈瘤嚢１２内での塞栓インプラント送達カテーテル２００の移動を阻害するように、「留置する」ことができる。
【００４４】
図４Ｅは、塞栓インプラント送達カテーテル２００を介して動脈瘤嚢１２内に埋め込まれる塞栓コイルなどの塞栓インプラント３００を示す。動脈瘤１０内で展開状態にある閉塞性インプラント１００は、塞栓インプラント３００が動脈瘤１０の頸部１６を通って出ることを阻害することができる。塞栓インプラント３００は、ボウル形状の閉塞性インプラントを充填することができ、ボウルの溝内から力を提供して、閉塞性インプラントを動脈瘤壁１４に対して外向きに押すことができる。塞栓インプラント３００からの力は、治療の完了後、閉塞性インプラント１００及び塞栓インプラント３００の埋め込み位置を維持するように機能することができる。
【００４５】
図４Ｆは、塞栓インプラント３００の埋め込み完了後に遠位方向に引き抜かれている塞栓インプラント送達カテーテル２００を示す。
【００４６】
図４Ｇは、マイクロカテーテル６００及び塞栓インプラント送達カテーテル２００の引き抜き後の動脈瘤を示しており、埋め込みプロセスが完了している。
【００４７】
図５は、展開状態において埋め込まれた遠位閉鎖部材のない例示的なインプラントの図である。
【００４８】
図６Ａ〜図７Ｂは、動脈瘤１０内で編組１０を展開し取り外すための、送達チューブ４００と編組１１０との間の取り付け及び送達の例を一般的に示す。図６Ａ〜図７Ｂの例は、送達チューブ４００及び編組１１０が取り付けられ得る一手法を描写するが、理解されるように、必要性又は要件に応じて当技術分野において既知の任意の数の取り付け手段が企図される。
【００４９】
図６Ａ及び図６Ｂは、送達チューブ４００の遠位端において送達システムと係合された編組１１０の近位端１１２に係止部材４５４が固定されているインプラントを示す。図示される送達システムは、係止部材４５４の開口部４５９を通って移動するように遠位端で屈曲している、送達チューブ４００の内腔を通って延在するループワイヤ４５８と、ループワイヤ４５８に隣接する送達チューブの内腔を通って延在し、かつループワイヤ４５８の遠位開口部４６０を通って延在する係止ロッド４５２と、を含む。図６Ｂに示すように、係止ロッド４５２がループワイヤ４５８の遠位開口部４６０を通して押され、ループワイヤ４５８が係止部材４５４の開口部４５９を通して供給されると、編組１１０は、送達チューブ４００の遠位端４１４と係合され得る。
【００５０】
送達チューブ４００は、送達チューブ４００の屈曲及び／又は撓曲を可能にし得る圧縮可能部分４３８を含むことができる。このような可撓性により、マイクロカテーテル及び脈管構造の曲がりくねった経路を通じてインプラント１００を追跡するのを支援することができる。圧縮可能部分４３８はまた、図７Ａ及び図７Ｂに関連して説明されるように、編組１１０の展開中に編組１１０を放出するように延在することができる長手方向に圧縮された状態で送達され得る。
【００５１】
図７Ａは、近位方向に引かれ、ループワイヤ４５８の遠位開口部４６０から出て、ループワイヤ４５８から引き離されている、係止ロッド４５２を示す。係止ロッド４５２がループワイヤ４５８の遠位開口部４６０から出ると、遠位開口部４６０付近のループワイヤ４５８の少なくとも一部は、係止部分４５４の開口部４５９から出るように再成形することができる。
【００５２】
図７Ｂに示すように、ループワイヤが係止部分４５４の開口部４５９を出ると、編組１１０は、送達チューブ４００を係合解除することができる。送達チューブ３０の圧縮可能部分３８は、前方に拡張して跳ねることができ、送達チューブ４００の遠位端４１４から編組１１０に遠位方向に向けられた力Ｅを付与して、編組１１０を送達チューブ４００から離して押して、インプラント１００のきれいな分離及び送達を確実にすることができる。
【００５３】
図８は、別の送達システムによって送達される別の例示的なインプラント１００ａを示す。送達システムは、インプラント１００ａの遠位端キャップ又はバンド１２４ａに係合するためのプッシャチューブ５１０と、インプラント１００ａの近位端１１２ａに係合するためのプッシャバンプ５２０とを含み得る。インプラント１００ａは、インプラント１００ａの大部分がプッシャチューブ５１０内に嵌合するようにサイズ決めされ、かつ遠位端部材１２４ａがプッシャチューブ５１０の内側寸法よりも大きくサイズ決めされるようにサイズ決めされた実質的に管状の形状を有することができる。図８に示すように、プッシャチューブ５１０の遠位並進は、遠位端部材１２４ａを遠位方向に押すことができ、マイクロカテーテル６００を通してインプラント１００ａを治療部位に移動させることができる。
【００５４】
図９Ａ〜図９Ｃは、図８に示されるインプラント１００ａなどの例示的なインプラントの別の埋め込みシーケンス例の間に生じ得る段階又は工程の図である。図９Ａは、動脈瘤頸部１６付近でマイクロカテーテル６００内に位置付けられたインプラント１００ａを有する、動脈瘤１０の頸部１６に位置付けられたマイクロカテーテル６００を示す。インプラント１００ａは、分岐部で動脈瘤を治療するときに幹血管２１を通して治療部位に送達され得、プッシャチューブ５１０は、マイクロカテーテル６００を通してインプラント１００ａを並進させるために使用され得る。
【００５５】
図９Ｂは、マイクロカテーテル６００から放出され、展開状態へと移動するプロセスにあるインプラント１００ａを示す。プッシャバンプ５２０を遠位方向に押すことによって、インプラント１００ａをプッシャチューブ５１０及びマイクロカテーテル６００から押し出すことができる。プッシャバンプ５２０は、コアワイヤ又は他の細長い部材に取り付けることができ、当該技術分野において既知の手段によって製造することができる。
【００５６】
図９Ｃは、本明細書の実施例に関連して記載及び図示されたものと同様の、展開状態にあるインプラント１００ａを示す。
【００５７】
図１０は、閉塞インプラントの埋め込み中に実行され得る方法工程例を概説するフロー図である。方法工程は、本明細書に記載される例示的な手段のいずれかによって、又は当業者に既知である任意の手段によって実装することができる。
【００５８】
図１０に概説される方法７００を参照すると、工程７１０において、拡張可能な編組を、拡張可能な編組がマイクロカテーテル内で畳み込み状態にあるように、マイクロカテーテル内に位置付けることができる。工程７２０において、マイクロカテーテルを通して編組を動脈瘤に向かって遠位方向に摺動させることができる。工程７３０において、編組の遠位端を含む編組の第１の部分をマイクロカテーテルから動脈瘤の嚢内に排出することができる。工程７４０において、編組の第１の部分を拡張することができる。工程７５０において、編組の近位端を含む編組の第２の部分をマイクロカテーテルから動脈瘤の嚢内に排出することができる。工程７６０において、編組の近位端が動脈瘤頸部の中央付近に位置付けられ、編組の第２の部分が近位端から半径方向に延在して外側閉塞袋を形成するように、編組の第２の部分を拡張させて動脈瘤の頸部を閉塞し、外側閉塞袋を形成することができる。工程７７０において、編組の第１の部分を反転させて、外側閉塞袋内に入れ子になった内側閉塞袋を形成することができる。工程７８０において、外側閉塞袋により、動脈瘤内の拡張された編組の埋め込み位置を維持するのに十分な力を動脈瘤壁に対して提供することができる。
【００５９】
本明細書に含まれる記述は、本発明の実施形態の例であり、本発明の範囲を何ら制限するものではない。本明細書に記載されるように、本発明は、動脈瘤を閉塞するためのデバイスの多くの変形及び修正を企図し、本明細書に記載される要素及び構成要素の代替的な幾何学的形状を含み、当該技術分野において既知であるように拡張可能な区分を編組する、編む、製織する、又はさもなければ形成するための任意の数の既知の手段を利用し、各構成要素又は要素のための多数の材料のいずれか（例えば、放射線不透過性材料、形状記憶材料など）を利用し、治療部位にインプラントを送達するための又は送達カテーテルからインプラントを放出するための構成要素を含む追加の構成要素を利用し、あるいは、例えば、本明細書に記載されていない機能を実行するために追加の構成要素を利用する。これらの修正形態は、本発明の関連技術分野の当業者に明らかであろうし、かつ、以下の特許請求の範囲の範囲内であることが意図される。
【００６０】
〔実施の態様〕
（１）  動脈瘤を閉塞するためのデバイスであって、
畳み込み状態から展開状態へと移動可能なインプラントであって、近位端と、遠位端と、前記近位端と前記遠位端との間に実質的に連続的な編組構造を形成する編組区分と、を備える、インプラント
を備え、
前記展開状態では、前記インプラントは
前記インプラントの前記近位端から延在し、動脈瘤頸部を閉塞することが可能な外側閉塞袋と、
前記インプラントの前記遠位端を形成して延在し、前記外側閉塞袋内に溝を形成する内側閉塞袋と、
前記外側閉塞袋と前記内側閉塞袋との間に位置付けられた前記編組区分内の折り畳み部と、
を備える、デバイス。
（２）  前記編組区分の第１の部分は、自己拡張して前記外側閉塞袋を形成することができ、前記編組区分の第２の部分は、自己反転して前記内側閉塞袋を形成することができる、実施態様１に記載のデバイス。
（３）  前記展開状態では、前記外側閉塞袋は、動脈瘤壁まで延在して、前記動脈瘤壁に対して力を提供することができる、実施態様１に記載のデバイス。
（４）  前記展開状態では、動脈瘤壁に対する前記外側閉塞袋の対置は、前記動脈瘤内の前記インプラントの位置を維持するのに十分である、実施態様１に記載のデバイス。
（５）  塞栓充填剤を更に備え、
前記塞栓充填剤は、前記動脈瘤の嚢内に埋め込み可能であり、
前記展開状態では、前記インプラントは、前記塞栓充填剤が前記嚢を出ることを阻害し、
前記塞栓充填剤は、前記インプラントを動脈瘤壁に並置する力を提供する、
実施態様１に記載のデバイス。
【００６１】
（６）  前記畳み込み状態では、前記インプラントは、マイクロカテーテルを通して前記動脈瘤に送達されるようにサイズ決めされている、実施態様１に記載のデバイス。
（７）  前記インプラントの前記近位端又は前記インプラントの前記遠位端のうちの１つ以上は閉鎖されている、実施態様１に記載のデバイス。
（８）  前記遠位端又は前記近位端のうちの１つ以上は、バンド、端キャップ又はヒートセットのうちの１つによって閉鎖されている、実施態様７に記載のデバイス。
（９）  前記編組区分は、形状記憶材料を含み、前記編組区分は、第１の所定の形状及び第２の変形形状を含み、
前記編組区分は、前記インプラントが前記畳み込み状態にあるときに前記第２の変形形状にあり、
前記編組区分は、前記インプラントが前記展開状態にあるときに第３の展開形状へと移動し、前記第３の展開形状は、前記所定の形状及び動脈瘤壁の曲率に少なくとも部分的に基づく、
実施態様１に記載のデバイス。
（１０）  前記展開状態では、前記外側閉塞袋は、前記動脈瘤頸部を封止して、前記動脈瘤内への流れの偏向、迂回及び減速のうちの少なくとも１つを行うことができる、実施態様１に記載のデバイス。
【００６２】
（１１）  前記展開状態では、前記インプラントは、実質的に囲まれた容積を画定する、実施態様１に記載のデバイス。
（１２）  前記展開状態では、前記インプラントの前記遠位端及び前記近位端はそれぞれ、前記動脈瘤頸部によって画定された平面に対してほぼ垂直な軸に沿って位置付けられており、前記動脈瘤頸部の中央に近接する、実施態様１に記載のデバイス。
（１３）  前記インプラントは、分岐した血管枝状部に隣接する動脈瘤に埋め込み可能であり、前記インプラントは、前記分岐した血管枝状部に供給する幹枝状部を通して前記動脈瘤に送達可能である、実施態様１に記載のデバイス。
（１４）  編組メッシュを含む動脈瘤を治療するためのインプラントであって、
前記編組メッシュは、埋め込み構成へと移動可能であり、前記編組メッシュは、前記埋め込み構成において実質的に囲まれたボウル形状の容積を画定する実質的に連続した表面を備える、インプラント。
（１５）  前記編組メッシュは、第１の端部及び第２の端部を有する実質的に管状の構成から前記埋め込み構成へと移動可能であり、
前記埋め込み構成では、前記第１の端部及び前記第２の端部はそれぞれ、前記ボウル形状の容積の中央に近接して位置付けられており、前記編組メッシュ内の折り畳み部は、前記ボウル形状の容積の環状隆起部を画定する、
実施態様１４に記載のインプラント。
【００６３】
（１６）  動脈瘤を閉塞する方法であって、
拡張可能な編組をマイクロカテーテル内に位置付けることであって、前記編組は、前記マイクロカテーテル内で畳み込み状態にあり、遠位端及び近位端を備える、ことと、
前記マイクロカテーテルを通して前記編組を前記動脈瘤に向かって遠位方向に摺動させることと、
前記編組の前記遠位端を含む前記編組の第１の部分を前記マイクロカテーテルから前記動脈瘤の嚢内に排出することと、
前記編組の前記第１の部分を拡張することと、
前記編組の前記近位端を含む前記編組の第２の部分を前記マイクロカテーテルから前記動脈瘤の前記嚢内に排出することと、
前記編組の前記第２の部分を拡張させて前記動脈瘤の頸部を閉塞し、外側閉塞袋を形成することであって、前記編組の前記近位端は、前記動脈瘤の前記頸部の中央に近接して位置付けられ、前記編組の前記第２の部分は、前記近位端から半径方向に延在して前記外側閉塞袋を形成する、ことと、
前記編組の前記第１の部分を反転させて、前記外側閉塞袋内に入れ子になった内側閉塞袋を形成することと、
を含む、方法。
（１７）  塞栓インプラントを送達するための第２のカテーテルの遠位端を、前記遠位端が前記動脈瘤嚢内に位置付けられるように位置付けること
を更に含み、
前記編組の前記第２の部分の前記拡張工程は、前記編組の前記第２の部分と前記動脈瘤の壁の第１の部分との間に前記第２のカテーテルを閉じ込めることを更に含む、
実施態様１６に記載の方法。
（１８）  前記塞栓インプラントを前記第２のカテーテルを通して前記動脈瘤に送達することと、
前記塞栓インプラントを前記動脈瘤嚢内に埋め込むことと、
前記編組の少なくとも一部分を前記動脈瘤の前記壁の第２の部分に並置するために、前記塞栓インプラントから力を提供することと、
を更に含む、実施態様１７に記載の方法。
（１９）  前記編組は、自己拡張性である、実施態様１６に記載の方法。
（２０）  前記動脈瘤内の前記編組の埋め込み位置を維持するのに十分な力を、前記外側閉塞袋と動脈瘤壁との間に提供することを更に含む、実施態様１６に記載の方法。
【図１Ａ】
2020058808.tif 000003
【図１Ｂ】
2020058808.tif 000004
【図１Ｃ】
2020058808.tif 000005
【図２】
2020058808.tif 000006
【図３Ａ】
2020058808.tif 000007
【図３Ｂ】
2020058808.tif 000008
【図３Ｃ】
2020058808.tif 000009
【図３Ｄ】
2020058808.tif 000010
【図３Ｅ】
2020058808.tif 000011
【図３Ｆ】
2020058808.tif 000012
【図４Ａ】
2020058808.tif 000013
【図４Ｂ】
2020058808.tif 000014
【図４Ｃ】
2020058808.tif 000015
【図４Ｄ】
2020058808.tif 000016
【図４Ｅ】
2020058808.tif 000017
【図４Ｆ】
2020058808.tif 000018
【図４Ｇ】
2020058808.tif 000019
【図５】
2020058808.tif 000020
【図６Ａ】
2020058808.tif 000021
【図６Ｂ】
2020058808.tif 000022
【図７Ａ】
2020058808.tif 000023
【図７Ｂ】
2020058808.tif 000024
【図８】
2020058808.tif 000025
【図９Ａ】
2020058808.tif 000026
【図９Ｂ】
2020058808.tif 000027
【図９Ｃ】
2020058808.tif 000028
【図１０】
2020058808.tif 000029
【外国語明細書】
2020058808000001.pdf